(57)【要約】      （修正有）【課題】長時間、芳香機能を維持することができ、構成が簡単で小型でありながら、芳香性液体が漏洩することを抑止でき、しかも使用場所、使用目的に合わせて容器本体の選択使用を可能とする吊下型の芳香具を提供する。【解決手段】この吊下型の芳香具は、口金部材１３と蓋部材１４とから構成される。口金部材１３の小径筒状部１３ａは、容器本体１１の開口１１ａに嵌挿され、且つ接着剤で固着される。蓋部材１４の雄ねじ部１４ｂを口金部材１３の雌ねじ部１３ｃに螺合し、第２のテーパー面１４ｆが第１のテーパー面１３ｅに当接するまでねじ込むことで、蓋部材１４は、口金部材１３に密着、結合される。気化された香水は、容器本体１１の内部から第１の空洞１４ａ→第２の開口１４ｃ→第２の空洞１４ｇ→第１の小孔１３ｄを順次介して外部に放散される。【選択図】図１
0003144644.tif 000002
【実用新案登録請求の範囲】
【請求項１】
芳香を発する機能を備えた吊下型の芳香具において、
上端に開口を有する有底状の容器本体と、
小径筒状部と大径筒状部からなり前記小径筒状部の外周部は前記容器本体の前記開口に嵌合され且つ接着剤にて気密に固着され、前記小径筒状部の内周部には雌ねじ部が形成され、前記大径筒状部には外周から内周に達する第１の小孔が穿設されてなる口金部材と、
下端から中間に至る部分に空洞を有し下端側外周には雄ねじ部が形成され中間部には外周から前記空洞に達する第２の小孔が穿設され、上端側には前記下端側より大径の頭部が形成され、前記頭部には吊環、鎖等の吊り下げ具を連結する取付孔が穿設されてなる蓋部材
を備え、
前記容器本体に芳香性液体を収容した状態で前記蓋部材の前記雄ねじ部を前記口金部材の前記雌ねじ部に螺合することにより前記蓋部材の前記頭部の下面と前記口金部材の前記大径筒状部の上面とが当接され且つ気密に保持されるように構成したことを特徴とする吊下型の芳香具。
【請求項２】
前記口金部材および前記蓋部材に穿設される前記第１の小孔および前記第２の小孔は、軸方向に互いにずらせて配置されていることを特徴とする請求項１に記載の吊下型の芳香具。
【請求項３】
前記口金部材および前記蓋部材に穿設される前記第１の小孔および第２の小孔は、それぞれ２つ以上穿設されていることを特徴とする請求項１または２に記載の吊下型の芳香具。
【請求項４】
前記蓋部材の前記空洞部下端寄りに、コルク粘土を充填してなることを特徴とする請求項１〜３のいずれか１項に記載の吊下型の芳香具。
【請求項５】
種々の装飾を施してなる前記容器本体を複数個用意しておき、前記蓋部材に適宜選択的に装着し得るように構成したことを特徴とする請求項１〜４のいずれか１項に記載の吊下型の芳香具。
【請求項６】
前記吊下型の芳香具は、チェーンその他の吊下げ紐に接続されたペンダントの機能を有することを特徴とする請求項１〜５のいずれか１項に記載の吊下型の芳香具。
【請求項７】
前記芳香性液体は、香水であることを特徴とする請求項１〜６のいずれか１項に記載の吊下型の芳香具。
【請求項８】
前記芳香性液体は、アロマオイルであることを特徴とする請求項１〜６のいずれか１項に記載の吊下型の芳香具。
【考案の詳細な説明】
【技術分野】
【０００１】
本考案は、芳香具に関し、より詳しくは吊下型の芳香具に関するものである。
【背景技術】
【０００２】
香水は、通常、肌、下着、衣服等に直接着けて使用されている。しかし、香りは、時間の経過によって変化し、いつまでも香りが持続しないので、アトマイザー（香水を小分けして収納した容器）を携帯して必要に応じて着けている。
一方、香水をペンダントのような装身具に収納し、小さな通気孔から香りを長時間平均して放散させるようにしたものがある（例えば、特許文献１）。
即ち、特許文献１には、装飾品本体と鎖とからなるペンダントであって、該装飾品本体が上部開口を有し有底となっている容器によって構成され、この容器の上部開口に開閉可能とした蓋を設け、この蓋に鎖を通すリングと容器内外を通ずるピンホールが形成してあり、容器中に香水を浸み込ませる香水吸収体が収めてあるペンダントが記載されている。
この特許文献１に記載のペンダントの場合、容器の開口に対し蓋に形成された雄ねじを容器の開口部に形成された雌ねじに螺合するだけであるため、ねじ螺合部から香水が洩れ出したり、蓋の中心部に穿設されたピンホールが、直接リングに連通しているため、香水がリング部から漏洩する難点がある。
【０００３】
また、既に一般市場に出回っているペンダント型の芳香具として、図１８に示すもの（以下、「市販品」という）がある。
この市販品は、図１８に示すように、容器１の内部に香水５を収容する。２は蓋であり、全体形状がほぼ球状を呈し、内部に空洞２ａを有し、その内周面には、前記容器１の上端部に形成された雄ねじ１ａと螺合する雌ねじ２ｂが形成され、前記空洞２ａの天井部には、円板状をなすフェルト３が配設される。この蓋２には、吊環４やチェーン（鎖）などの吊下げ具を挿通する取付孔２ｃが穿設され、前記空洞２ａと取付孔２ｃとの間を連通する通気孔２ｄが穿設される。このように構成された市販のペンダントは、予め好みの香水５を、容器１内の空洞に注入する。その後、蓋２の雌ねじ２ｂを、容器１の雄ねじ１ａに螺合し、ある程度強く締め付けると、空洞２ａの天井部と容器１の雄ねじ１ａの上端との間に介挿されたフェルト３がストッパとなるため蓋２の下端部２ｅと容器１の肩部１ｂの上端との間に隙間Ｇが生じる。
このように構成された市販品の場合も、蓋２の雌ねじ２ｂと容器１の雄ねじ１ａとは、単に粗いピッチのねじ同士で螺合されているため、空洞２ａ内の香水が螺合部を介して滲み出ることがあると共に、フェルト３を介して通気孔２ｄの取付孔２ｃから香水が滲み出す虞れがある。
【０００４】
このように、ペンダントから香水が漏洩し、その香水が肌に直接触れる場合は、人（体質）によっては皮膚がカブレたり、脱毛が生じたりする、という問題が生じる。
また、ペンダントから漏洩した香水が衣類に付着すると衣類にシミが生じるという問題を惹起する。
また、上記市販品の場合、図１８からも分かるように、容器１の開口部に形成された雄ねじ１ａは、ガラス体またはプラスチック体に直接形成するため、細かいねじ山を形成することができず、従って、首部が大径となって且つ厚肉となってしまい、体裁が悪く、且つ設計の自由度が限定される、という難点がある。
また、容器１に対する蓋２の締付け量は、フェルト３の圧縮量によって変わるため、経時的にフェルト３が次第に薄肉化されて締付け量が増大し、そのため容器１の正面と吊環４の正面がずれてしまい、容器１が正面を向かなくなって体裁を悪化させる、という問題がある。
【０００５】
【特許文献１】実開平６−３８６２８号公報
【考案の開示】
【考案が解決しようとする課題】
【０００６】
本考案は、上述した問題点に鑑みてなされたもので、第１の目的とするところは、長時間、芳香機能を維持できる芳香具を提供することにあり、第２の目的とするところは、構成が簡単で、小型化が可能な芳香具を提供することにあり、第３の目的とするところは、内部から芳香性液体が漏洩することを抑止可能で、直接衣服や肌に付着するのを的確に防止し得る芳香具を提供することにあり、第４の目的とするところは、装飾の異なる容器本体を適宜変えることにより、使用場所や使用目的に合わせて、デザインと芳香の組み合わせを楽しむことのできる芳香具を提供することにある。
【課題を解決するための手段】
【０００７】
請求項１に記載した本考案に係る吊下型の芳香具は、上述した目的を達成するために、芳香を発する機能を備えた吊下型の芳香具において、
上端に開口を有する有底状の容器本体と、
小径筒状部と大径筒状部からなり前記小径筒状部の外周部は前記容器本体の前記開口に嵌合され且つ接着剤にて気密に固着され、前記小径筒状部の内周部には雌ねじ部が形成され、前記大径筒状部には外周から内周に達する第１の小孔が穿設されてなる口金部材と、
下端から中間に至る部分に空洞を有し下端側外周には雄ねじ部が形成され中間部には外周から前記空洞に達する第２の小孔が穿設され、上端側には前記下端側より大径の頭部が形成され、前記頭部には吊環、鎖等の吊り下げ具を連結する取付孔が穿設されてなる蓋部材
を備え、
前記容器本体に芳香性液体を収容した状態で前記蓋部材の前記雄ねじ部を前記口金部材の前記雌ねじ部に螺合することにより前記蓋部材の前記頭部の下面と前記口金部材の前記大径筒状部の上面とが当接され且つ気密に保持されるように構成したことを特徴としている。
請求項２に記載した本考案に係る吊下型の芳香具は、上述した目的を達成するために、前記口金部材および前記蓋部材に穿設される前記第１の小孔および前記第２の小孔が、軸方向に互いにずらせて配置されていることを特徴としている。
【０００８】
請求項３に記載した本考案に係る吊下型の芳香具は、上述した目的を達成するために、前記口金部材および前記蓋部材に穿設される前記第１の小孔および第２の小孔が、それぞれ２つ以上穿設されていることを特徴としている。
請求項４に記載した本考案に係る吊下型の芳香具は、上述した目的を達成するために、前記蓋部材の前記空洞部下端寄りに、コルク粘土を充填してなることを特徴としている。
請求項５に記載した本考案に係る吊下型の芳香具は、上述した目的を達成するために、種々の装飾を施してなる前記容器本体を複数個用意しておき、前記蓋部材に適宜選択的に装着し得るように構成したことを特徴としている。
請求項６に記載した本考案に係る吊下型の芳香具は、上述した目的を達成するために、チェーンその他の吊下げ紐に接続されたペンダントの機能を有することを特徴としている。
請求項７に記載した本考案に係る吊下型の芳香具は、上述した目的を達成するために、前記芳香性液体は、香水であることを特徴としている。
請求項８に記載した本考案に係る吊下型の芳香具は、上述した目的を達成するために、前記芳香性液体が、アロマオイルであることを特徴としている。
【考案の効果】
【０００９】
請求項１に記載の考案によれば、芳香を発する機能を備えた吊下型の芳香具において、
上端に開口を有する有底状の容器本体と、
小径筒状部と大径筒状部からなり前記小径筒状部の外周部は前記容器本体の前記開口に嵌合され且つ接着剤にて気密に固着され、前記小径筒状部の内周部には雌ねじ部が形成され、前記大径筒状部には外周から内周に達する第１の小孔が穿設されてなる口金部材と、
下端から中間に至る部分に空洞を有し下端側外周には雄ねじ部が形成され中間部には外周から前記空洞に達する第２の小孔が穿設され、上端側には前記下端側より大径の頭部が形成され、前記頭部には吊環、鎖等の吊り下げ具を連結する取付孔が穿設されてなる蓋部材
を備え、
前記容器本体に芳香性液体を収容した状態で前記蓋部材の前記雄ねじ部を前記口金部材の前記雌ねじ部に螺合することにより前記蓋部材の前記頭部の下面と前記口金部材の前記大径筒状部の上面とが当接され且つ気密に保持されるように構成したので、長時間、芳香機能を維持することができ、構成が簡単で小型化が可能であり、横にしても逆さにしても内部から芳香性液体が漏洩することが防止でき、複数種の装飾の異なる容器本体を適宜変えて使用場所や使用目的に合わせてデザインと芳香の組み合わせを楽しむことが可能な、吊下型の芳香具を提供することができる。
【考案を実施するための最良の形態】
【００１０】
以下、本考案の実施の形態について図面を参照して本考案の吊下型の芳香具を詳細に説明する。
図１〜図１０は、本考案の第１の実施の形態に係る吊下型の芳香具の構成を示している。
このうち、図１は、本考案の第１の実施の形態に係る吊下型の芳香具の全体構成を示す正面図、図２は、図１の正面縦断面図、図３は、本考案を構成する口金部材と蓋部材とが組み合わされた状態を示す左側面縦断面図、図４は、本考案の一部を構成する蓋部材の構成を示す正面図、図５は、本考案の一部を構成する口金部材の構成を示す正面図、図６は、図４の左側面図、図７は、図５の左側面図、図８は、図４の平面図、図９は、図５の平面図、図１０は、本考案を構成する蓋部材と口金部材の構成を示すもので、（ａ）は、蓋部材の外観構成を示す斜視図、（ｂ）は、口金部材の外観構成を示す斜視図、（ｃ）は、蓋部材を口金部材にねじ込んで組み付けた状態を示す斜視図である。
【００１１】
図１〜図２において、１１は、上端に開口１１ａを有する有底状の容器本体であり、内部には、香水、アロマオイル等の芳香性溶液の一種である香水１２を収容する。容器本体１１は、この場合、ガラス（例えば、硼珪酸ガラス）で型を用いて成型されるが、プラスチック樹脂製であってもよく、また形状は、この実施の形態では比較的薄い八角柱状に形成されているが、正面形状が、正方形状、縦長矩形状、五角形状、六角形状、楕円形状、長円形状、その他の形状に加工し、その正面、背面および曲面上、さらには球面上に適宜デザインをした装飾を施すようにしてもよい。
以下、図１〜図１０において、１３は、容器本体１１に組み付けられる口金部材であり、下半部は小径筒状部１３ａとされ、上半部は、小径筒状部１３ａより、その外径および内径とともに大きく形成された大径筒状部１３ｂとされている。
小径筒状部１３ａの内周部には、雌ねじ部１３ｃが形成されている。大径筒状部１３には、円筒中心軸に対し、直交する方向に、外周から内周に達する気化通気用の第１の小孔１３ｄが穿設され、この第１の小孔１３ｄの大きさは、０．５〜１．５mm程度とするが、この第１の小孔１３ｄの数が２〜３口の場合はさらに小径の孔としてもよい。
大径筒状部１３ｂの上端は、上面から底面に向かうにつれて小径となるような第１のテーパー面１３ｅが、平滑面に形成されている。
【００１２】
１４は、蓋部材であり、下端から中間に至る部分に円孔（下端が開口された有底の空洞）よりなる第１の空洞１４ａが形成されている。蓋部材１４の下端側外周には、前記口金部材１３の雌ねじ部１３ｃと螺合（ねじ結合）するに適する雄ねじ部１４ｂが形成されている。蓋部材１４の中間部には、円周体の外周から第１の空洞１４ａに達する気化通気用の第２の小孔１４ｃが穿設されている。この第２の小孔１４ｃは、第１の小孔１３ｄと同程度の寸法とするが、複数設ける場合は、より小径としてもよい。
蓋部材１４の上端側の頭部は、下半部より大径とされ、上面は、ほぼ球面（半球面）に近似した非球面形状を呈しており、その中心軸上に、中心軸に直交する方向の取付孔１４ｅが穿設され、この取付孔１４ｅには、吊環（リング）、チェーン、吊紐等の吊り下げ具が挿通される。この蓋部材１４の頭部１４ｄの下面は、下方に行くにつれてその直径を減じるような平滑面である第２のテーパー面１４ｆが形成されており、この第２のテーパー面１４ｆと上述した口金部材１３の第１のテーパー面１３ｅとは、ほぼ同一の傾斜のテーパー面とされている。
このような構成よりなる容器本体１１と口金部材１３と蓋部材１４の組立要領について説明する。
【００１３】
先ず、容器本体１１の開口１１ａの内周および口金部材１３の小径筒状部１３ａの外周のいずれか一方、または双方に、そして、容器本体１１の上面と口金部材１３の大径筒状部１３ｂの下面との間に接着剤を塗布し、小径筒状部１３ａを、開口１１に嵌合し、その接着剤を固化させて、両面間を気密状に固着する。
次いで、所望の香水１２（またはアロマオイル等）を、スポイト、注射針のような注入具を用いて、容器本体１１の内部（空洞）に注入する。
然る後、蓋部材１４の雄ねじ部１４ｂを、口金部材１３の雌ねじ部１３ｃに螺合し、蓋部材１４の第２のテーパー面１４ｆが、口金部材１３の第１のテーパー面１３ｅに当接密着するまで、蓋部材１４の頭部１４ｄを回してねじ込んで、両者間を気密に圧着させる。
また、蓋部材１４の取付孔１４ｅに、図１７に示すように、吊環（リング）１５を取り付け、さらにこの吊環１５に長丈のチェーン１６を挿通すれば、芳香機能を有するペンダントとして使用することができる。
このように構成された吊下型の芳香具は、気化された香水１２が、蓋部材１４の第１の空洞１４ａ→第２の小孔１４ｃ→第２の空洞１４ｇ→第１の小孔１３ｄを介して外部に放散される。
【００１４】
図１１〜図１４は、本考案の第２の実施の形態に係る吊下型の芳香具を示すもので、このうち、図１１は、吊下型の芳香具の蓋部材の構成を示す正面縦断面図、図１２は、吊下型の芳香具の口金部材の構成を示す正面縦断面図、図１３は、図１１の左側面縦断面図、図１４は、図１２の左側面縦断面図である。
この第２の実施の形態に係る芳香具は、口金部材１３は共通であるが、蓋部材１４の第１の空洞１４ａの下部に、コルク粘土１７を嵌挿した点および嵌挿したコルク１７を引き抜く時の作業用切欠き１４ｈを設けた点が異なっている。
従って、口金部材１３および蓋部材１４の各部の共通部分については、第１の実施の形態と同じ符号を付してある。
ここで、コルク粘土１７は、市販されており、例えば、相田化学工業株式会社製の「自在コルク粘土（商品番号ｆ−０４４）」と称するものを使用することができる。
コルク粘土１７は、蓋部材１４の第１の空洞１４ａ下半部にぴったり嵌挿されるので、コルク粘土１７の外周と第１の空洞１４ａの内周から香水が洩れることはなく、香水は、専ら、コルク粘土１７の微細組織内を毛管現象によって容器本体１１側から蓋部材１４の第１の空洞１４ａ側に伝わり、微量の香水が、第２の小孔１４ｃから第２の空洞１４ｇへ移動し、そこから第１の小孔１３ｄを介し外部へ向かって淡い芳香を放散させる。
【００１５】
尚、第１の空洞１４ａ内面に嵌挿されたコルク粘土１７を取り外すには、蓋部材１４を口金部材１３から一旦取外し、先端が尖ったピン、針、小さなドライバなどの先端を作業用切欠き１４ｈからコルク粘土１７に達するまで差し込んで、底部側に向けて引き出すことができる。
このように、コルク粘土１７を嵌挿することにより香水が外部に直接滲み出すことはなく、それ故、衣類を汚損するような事故は、確実に防止できる。
図１５は、本考案の第３の実施の形態に係る芳香具の構成を示すもので、（ａ）は、蓋部材の外観を模式的に示す斜視図、（ｂ）は、口金部材の外観を模式的に示す斜視図である。
図１５（ａ）においては、蓋部材１４の中間部に２つの第２の小孔１４ｉ，１４ｉを形成したものであり、且つ、２つの第２の小孔１４ｉと１４ｉは、１８０度対向した角度位置に形成されている。
図１５（ｂ）においては、口金部材１３の大径筒状部１３ｂに、やはり１８０°の角度間隔を開けて２つの第１の小孔１３ｆ，１３ｆを形成したものである。
【００１６】
図１６は、本考案の第４の実施の形態に係る芳香具の口金部材の外観を模式的に示す斜視図である。
この第４の実施の形態における芳香具の口金部材１３は、３つの第１の小孔１３ｇ，１３ｇ，１３ｇが等角度間隔で穿設されている。このように、複数の小孔１３ｇ，１３ｇ，１３ｇを設けることにより、香水が周方向に均等に放散されることになり、芳香機能を一層向上させることができる。
以上詳しく説明したところから分かるように、本考案によれば、香水は、第２の小孔１４ｃと第１の小孔１３ｄを介して放散されるので、長時間、芳香機能を維持することができる。
また、容器本体１１において、市販品のように粗いピッチの雄ねじを形成したものと異なり、精密加工が可能な口金部材１３の小径筒状部１３ａにピッチの細かい雌ねじ１３ｃを形成し、且つ口金部材１３の小径筒状部１３ａの外周および大径筒状部１３ｂの下底面と容器本体１１の開口１１ａおよび最上端面との間は、接着剤により気密に固着されているので、特許文献１や上記市販品のように香水の漏洩が生じていたねじ接合部からの漏れは確実に抑止することができると共に、口金部材１３の雌ねじ部１３ｃと蓋部材１４の雄ねじ部１４ｂとは小さなピッチ（例えば、０．２５前後）が形成できるため口金部材１３および蓋部材１４を極力小型、軽量化でき、しかもこの２つの部材が有機的に結合されているため、構成が簡単で比較的安価に提供することができる。
【００１７】
また、液体または気化された香水１２の放散経路としては、容器本体１１の内部から蓋部材１４の第１の空洞１４ａまでの間は、倒したりした場合は、液体状態で移動するが、この第１の空洞１４ａから、第２の小孔１４ｃを介して、第２の空洞１４ｇ（蓋部材１４の中間部外周と口金部材１３の大径筒状部１３の内周との間に形成される空洞）への液体状態での流出量は僅かであり、その液体の香水は、第２の空洞１４ｇの内壁に付着し、刻々気化される香水成分がその殆どを占め、この気化された香水が、第１の小孔１３ｄから放散される。
そのため、第１の小孔１３ｄから、液状の香水が漏洩するおそれは極めて少なくなる。
また、この口金部材１３の上端面と蓋部材１４の頭部１４ｄの下面とは、共に平滑に形成された第１のテーパー面１３ｅと第２のテーパー面１４ｆとが、気密に密着されているため、この二つの部材（１３、１４）の接合面から香水が漏れることはない。
また、第２の実施の形態のように、第１の空洞部１４ａ内部に、コルク粘土１７を嵌挿することにより、一層香水の発散の持続効果を延長し得ると共に、万一の香水の漏洩を一層確実に防止することができる。
【００１８】
尚、本考案は、上述し且つ図示した実施の形態に限定されるものではなく、その要旨を逸脱しない範囲で、種々に変形実施することができる。
例えば、容器本体１１、口金部材１３、蓋部材１４の形状は、図示したものに限定されると解釈すべきではなく、種々に装飾を施したもの、貴金属や宝石をアレンジしたりすることは自在であり、ペンダントやイヤリング、ブローチ、ピアス、携帯電話やバッグのストラップに吊下げて使用するなどの用途も自由である。
また、容器に収容する芳香性液体としては、香水に限らず芳香を発する各種液体、例えばアロマオイルなど、その名称に限定されるものではない。
【図面の簡単な説明】
【００１９】
【図１】本考案の第１の実施の形態に係る吊下型の芳香具の全体構成を示す正面図である。
【図２】図１の正面縦断面である。
【図３】本考案を構成する口金部材と蓋部材とが組み合わされた状態を示す左側面縦断面図である。
【図４】本考案の一部を構成する蓋部材の構成を示す正面図である。
【図５】本考案の一部を構成する口金部材の構成を示す正面図である。
【図６】図４の左側面図である。
【図７】図５の左側面図である。
【図８】図４の平面図である。
【図９】図５の平面図である。
【図１０】本考案を構成する蓋部材と口金部材の構成を示すもので、（ａ）は、蓋部材の外観構成を示す斜視図、（ｂ）は、口金部材の外観構成を示す斜視図、（ｃ）は、蓋部材を口金部材にねじ込んで組み付けた状態を示す斜視図である。
【図１１】本考案の第２の実施の形態に係る吊下型の芳香具の一部を構成する蓋部材の構成を示す正面縦断面図である。
【図１２】本考案の第２の実施の形態に係る吊下型の芳香具の一部を構成する口金部材の構成を示す正面縦断面図である。
【図１３】図１１の左側面縦断面図である。
【図１４】図１２の左側面縦断面図である。
【図１５】本考案の第３の実施の形態に係る吊下型の芳香具の構成を示すもので、（ａ）は、蓋部材の外観構成を示す斜視図である。
【図１６】本考案の第４の実施の形態に係る吊下型の芳香具の一部を構成する口金部材の外観構成を示す斜視図である。
【図１７】本考案の吊下型の芳香具を吊環を介してチェーンに連結してペンダントとして使用する場合の構成を示す斜視図である。
【図１８】従来のペンダント型の芳香具の構成を示す縦断面図である。
【符号の説明】
【００２０】
１１    容器本体
１１ａ    開口
１２    香水
１３    口金部材
１３ａ    小径筒状部
１３ｂ    大径筒状部
１３ｃ    雌ねじ部
１３ｄ、１３ｆ、１３ｇ    第１の小孔
１３ｅ    第１のテーパー面
１４    蓋部材
１４ａ    第１の空洞
１４ｂ    雄ねじ部
１４ｃ、１４ｉ    第２の小孔
１４ｄ    頭部
１４ｅ    取付孔
１４ｆ    第２のテーパー面
１４ｇ    第２の空洞
１４ｈ    作業用切欠き
１５    吊環（リング）
１６    チェーン（鎖）
１７    コルク粘土
【図１】
0003144644.tif 000003
【図２】
0003144644.tif 000004
【図３】
0003144644.tif 000005
【図４】
0003144644.tif 000006
【図５】
0003144644.tif 000007
【図６】
0003144644.tif 000008
【図７】
0003144644.tif 000009
【図８】
0003144644.tif 000010
【図９】
0003144644.tif 000011
【図１０】
0003144644.tif 000012
【図１１】
0003144644.tif 000013
【図１２】
0003144644.tif 000014
【図１３】
0003144644.tif 000015
【図１４】
0003144644.tif 000016
【図１５】
0003144644.tif 000017
【図１６】
0003144644.tif 000018
【図１７】
0003144644.tif 000019
【図１８】
0003144644.tif 000020